(57)【要約】【課題】  視聴者が違和感を感じることなく、デジタル放送とアナログ放送との切り替えを行うことができるアナログ・デジタルテレビ受信機を提供する。【解決手段】  信号比較回路５によってアナログチューナー１とデジタルチューナー２とより出力される双方の映像信号が一致するかどうかの判定を行い、双方の映像信号が一致するまで、信号遅延回路４がアナログチューナー１より出力された映像信号の遅延処理を行う。これにより、切り替え機６による放送番組の切り替え時においても、ディスプレイ７やスピーカ８を通じてユーザに提示される映像や音声にズレが生じることがないので、ユーザが違和感を感じることなく放送番組の切り替えを行うことができる。【選択図】              図１
2006013845.tif 000002
【特許請求の範囲】
【請求項１】
アナログチューナーと、デジタルチューナーと、前記アナログチューナーの受信状態と前記デジタルチューナーの受信状態を判定する受信状態判定手段と、前記受信状態判定手段の判定結果より、前記アナログチューナーと前記デジタルチューナーのいずれか一方で受信されたテレビ放送を選ぶように切り替えを行う切り替え手段とを備えたアナログ・デジタルテレビ受信機において、
前記アナログチューナーによって受信された映像信号の遅延処理を行う映像信号遅延手段を備え、
前記映像信号遅延手段によって前記アナログチューナーによって受信された映像信号を遅延させたうえで、前記切り替えを行うことを特徴とするアナログ・デジタルテレビ受信機。
【請求項２】
前記アナログチューナーによって受信された映像信号と、前記デジタルチューナーによって受信された映像信号との比較を行い、双方の映像信号が一致するかどうかの判断を行う映像信号比較手段と、
該映像比較手段によって前記双方の映像信号が一致していないと判断されると、前記アナログチューナーによって受信された映像信号と、前記デジタルチューナーによって受信された映像信号とが一致する方向に、前記アナログチューナーによって受信された映像信号を遅延させる遅延指示を前記映像信号遅延手段に対して行うフィードバック手段を備えることを特徴とする請求項１に記載のアナログ・デジタルテレビ受信機。
【請求項３】
前記フィードバック手段は、前記映像信号比較手段によって、前記双方の映像信号が一致したと判断されるまで、前記アナログチューナーによって受信された映像信号を所定の遅延時間ずつ遅延させる遅延指示を行うことを特徴とする請求項２に記載のアナログ・デジタルテレビ受信機。
【請求項４】
前記映像信号遅延手段は、前記アナログチューナーによって受信された映像信号の遅延時間が所定時間以上となった場合に、前記アナログチューナーによって受信されたテレビ放送と、前記デジタルチューナーによって受信されたテレビ放送とは同一の放送ではないと判定し、
前記切り替え手段は、前記デジタルチューナーと前記アナログチューナーの切り替えを行わないことを特徴とする請求項３に記載のアナログ・デジタルテレビ受信機。
【請求項５】
ユーザに対して放送の切り替えを行わない旨の報知を行う報知手段を備え、
該報知手段は、前記映像信号比較手段によって前記アナログチューナーによって受信されたテレビ放送と、前記デジタルチューナーによって受信されたテレビ放送とは同一の放送ではないと判定された場合に、報知を行うことを特徴とする請求項４に記載のアナログ・デジタルテレビ受信機。
【請求項６】
前記切り替え手段が行う放送の切り替えは、前記デジタルチューナーによって受信されたテレビ放送から前記アナログチューナーによって受信されたテレビ放送への切り替えであることを特徴とする請求項１から５のいずれか１に記載のアナログ・デジタルテレビ受信機。
【請求項７】
前記切り替え手段は、前記受信状態判定手段によって前記デジタルチューナーの受信状態が悪化したと判定された場合に、前記デジタルチューナーによって受信されたテレビ放送から前記アナログチューナーによって受信されたテレビ放送への切り替えを行うことを特徴とする請求項６に記載のアナログ・デジタルテレビ受信機。
【請求項８】
前記切り替え手段の切り替えによって、前記アナログチューナーによって受信されたテレビ放送の放送が行われている場合に、
前記切り替え手段は、前記受信状態判定手段によって前記デジタルチューナーの受信状態が回復したと判定されると、前記アナログチューナーによって受信されたテレビ放送から前記デジタルチューナーによって受信されたテレビ放送への切り替えを行うことを特徴とする請求項７に記載のアナログ・デジタルテレビ受信機。
【発明の詳細な説明】
【技術分野】
【０００１】
本発明は、アナログ放送およびデジタル放送の受信切り替えを行うアナログ・デジタルテレビ受信機に関する。
【背景技術】
【０００２】
従来、アナログ放送とデジタル放送を切り替えて受信を行うテレビ受信機として、たとえば特開２００１−３０９２５４号公報に記載のようなものがある。
またアナログ放送とデジタル放送とが同一番組を放送している場合がある。
この場合には、デジタル放送を受信するデジタル受信機およびアナログ放送を受信するアナログ受信機の双方の受信状態を監視し、双方の受信機のうち良好な受信状態である受信機によって受信されたテレビ番組をユーザに提供していた。
【特許文献１】特開２００１−３０９２５４号公報
【発明の開示】
【発明が解決しようとする課題】
【０００３】
しかしながら、このような従来のアナログ・デジタルテレビ受信機においては、受信状態にもとづいて受信機の切り替えを行っていたが、デジタル放送は映像の処理が複雑であるため、アナログ放送に対してデジタル放送によって受信した映像を画面に映し出すまでに時間がかかっていた。このため単にデジタルからアナログ、あるいはアナログからデジタルへの受信機の切り替えを行うと、表示される画像が飛んでしまったり、あるいは短時間の間に同じ映像が２回表示されてしまうなど、視聴者に対して違和感を生じさせてしまうといった問題があった。
【０００４】
そこで本発明はこのような問題点に鑑み、視聴者が違和感を感じることなく、デジタル放送とアナログ放送との切り替えを行うことができるアナログ・デジタルテレビ受信機を提供することを目的とする。
【課題を解決するための手段】
【０００５】
本発明は、アナログチューナーと、デジタルチューナーと、アナログチューナーの受信状態とデジタルチューナーの受信状態を判定する受信状態判定手段と、アナログチューナーによって受信された映像信号の遅延処理を行う映像信号遅延手段と、受信状態判定手段の判定結果より、アナログチューナーとデジタルチューナーのいずれか一方で受信されたテレビ放送が選択されるように切り替えを行う切り替え手段とを備え、映像信号遅延手段によってアナログチューナーによって受信された映像信号を遅延させたうえで、切り替え手段が切り替えを行うものとした。
【発明の効果】
【０００６】
本発明によれば、映像信号遅延手段によってアナログチューナーによって受信された映像信号を遅延させたうえで放送の切り替えを行うことにより、ユーザが違和感を感じることなくデジタルチューナーとアナログチューナーの切り替えを行うことができる。
【発明を実施するための最良の形態】
【０００７】
次に本発明の実施の形態を実施例により説明する。
アナログ・デジタルテレビ受信機は車両に搭載されているものとする。
図１に、実施例における全体構成を示す。
アナログのテレビ放送番組を受信するアナログチューナー１が、信号遅延回路４および信号比較回路５を介して切り替え機６に接続される。
デジタル放送のテレビ放送番組を受信するデジタルチューナー２が、切り替え機６に接続される。
信号遅延回路４は、アナログチューナー１から出力された映像信号（音声信号を含む）を遅延させるものである。また信号比較回路５は、アナログチューナー１から出力された映像信号とデジタルチューナー２から出力された映像信号とが一致するかどうかの比較を行うものである。
【０００８】
信号遅延回路４と信号比較回路５とはフィードバック回路９によって接続される。
信号比較回路５によってアナログチューナー１およびデジタルチューナー２より出力された映像信号が一致したと判定されるまで、フィードバック回路９は信号遅延回路４に対して、アナログチューナー１から出力された映像信号の遅延指示を行う。
【０００９】
アナログチューナー１とデジタルチューナー２には、各チューナーによる受信状態の比較を行う受信状態判定部３が接続される。
受信状態判定部３は、デジタルチューナー２によって受信されるデジタル放送の受信状態が悪くなった場合に、切り替え機６に対してデジタル放送からアナログ放送への受信切り替え指示を行う。
【００１０】
切り替え機６は、アナログチューナー１またはデジタルチューナー２によって受信された放送番組のうち、どちらの受信機によって受信された放送番組を選択するかを切り替えるものである。
切り替え機６によって選択された放送番組がディスプレイ７およびスピーカ８よりユーザに提示される。
【００１１】
次に、アナログチューナー１とデジタルチューナー２から出力される映像信号の時間的なズレについて説明する。
図２は、デジタルチューナー２が映像信号のデジタル処理を行うことにより発生する映像信号の時間的なズレを示す図である。
デジタルチューナー２は、受信した映像信号のデジタル処理を行うため、アナログチューナー１に比べて、出力される映像信号に時間遅れＴ０の遅れが生じる。
【００１２】
図３は、アナログチューナー１が反射波を受信することにより発生する映像信号の時間的なズレを示す図である。
アナログチューナー１は、建物Ａなどによってアナログの電波が反射した反射波を受信することにより、アナログの電波を直接受信している場合に比べて出力される映像信号に、時間遅れＴ１の遅れが生じる。
また、アナログ・デジタルテレビ受信機を搭載した車両が移動することによって周囲の状況が変化するため、反射波による時間遅れＴ１は常に変動する。
【００１３】
次に、デジタル放送番組の視聴時に受信状態が悪くなり、アナログ放送番組の受信へ切り替える際の各部の動作について説明する。
図４は、放送番組の切り替え動作を示すフローチャートである。
なお本処理は、たとえばユーザによって放送番組のチャンネル変更が行われた場合に開始される。
ステップ１００において信号比較回路５は、アナログチューナー１より出力される映像信号とデジタルチューナー２より出力される映像信号とが一致するかどうかの判断を行う。
双方の映像信号が一致しない場合には、ステップ１０５へ進む。
【００１４】
ステップ１０５においてフィードバック回路９は、アナログチューナー１より出力された映像信号を、あらかじめ定められた所定の遅延時間ｔだけ遅延させる旨の指示を信号遅延回路４に対して行う。
ステップ１０６において信号遅延回路４は、フィードバック回路９からの指示によって当該映像信号を遅延させた遅延時間Ｔ（遅延時間ｔの合計）が所定時間以上となったかどうかを判断し、所定時間以上となった場合は、ステップ１０７へ進む。
【００１５】
一方、所定時間未満である場合にはステップ１００へ戻り、アナログチューナー１とデジタルチューナー２とより出力された映像信号が一致しない場合には、遅延時間Ｔが所定時間以上となるまで、ステップ１０５、１０６においてアナログチューナー１より出力される映像信号の遅延処理を繰り返し行う。
この遅延処理は、Ｔ０−Ｔ１＝０となるように実行するものである。
【００１６】
ステップ１０７において信号遅延回路４は、アナログチューナー１より出力される映像信号の遅延処理を停止し、アナログチューナー１によって受信されている放送番組とデジタルチューナー２によって受信されている放送番組とは別の放送内容の番組であると判定する。
【００１７】
ステップ１０８において信号遅延回路４は、デジタルチューナー２によって受信している放送番組の受信状態が悪くなった場合にも、該放送番組はデジタルサイマル放送（アナログ放送と同一の放送）でないためアナログチューナー１への受信切り替えを行うことは不可能である旨の報知をユーザに対して行う。
またこの報知は、ディスプレイ７やスピーカ８を用いて行われる。
ステップ１０８における報知の後、デジタルチューナー２による放送の受信状態を維持したまま処理を終了する。
【００１８】
一方、ステップ１００においてアナログチューナー１より出力される映像信号とデジタルチューナー２より出力される映像信号とが一致すると判断されると、ステップ１０１において受信状態判定部３は、デジタルチューナー２によって受信されるデジタル放送の受信状態が悪くなったかどうかの判断を行い、受信状態が悪くなった場合にはステップ１０２へ進み、受信状態が悪くない場合には、ステップ１００へ戻る。
【００１９】
ステップ１０２において受信状態判定部３は、切り替え機６に対してデジタル放送からアナログ放送への受信切り替え指示を行う。
これにより、ディスプレイ７およびスピーカ８を通じて、アナログチューナー１によって受信された放送番組が提示される。
また、上述のステップ１００、１０５、１０６における処理によって、アナログチューナー１より出力された映像信号が遅延され、アナログチューナー１とデジタルチューナー２とより出力された映像信号に時間的なズレが生じていないため、デジタル放送からアナログ放送への切り替え時に、ディスプレイ７やスピーカ８を通じて提示される映像や音声にズレが発生しない。
【００２０】
次にステップ１０３において受信状態判定部３は、デジタルチューナー２によって受信されるデジタル放送の受信状態が回復したかどうかの判断を行い、回復した場合にはステップ１０４において、切り替え機６に対してアナログ放送からデジタル放送への受信切り替え指示をおこなう。
これにより、ディスプレイ７およびスピーカ８を通じて、デジタルチューナー２によって受信された放送番組が提示される。
【００２１】
デジタルチューナー２によって受信されるデジタル放送の受信状態が回復していない場合には、ステップ１０３における処理を繰り返す。
ステップ１０４におけるデジタル放送への切り替え指示後、ステップ１００へ戻り上述の処理を繰り返す。
なお本実施例において、ステップ１０１、１０３が本発明における受信状態判定手段を構成し、ステップ１０２、１０４が本発明における切り替え手段を構成する。またステップ１０６、１０７が本発明における映像信号遅延手段を構成し、ステップ１００が本発明における映像信号比較手段を構成する。さらにステップ１０５が本発明におけるフィードバック手段を構成し、ステップ１０８が本発明における報知手段を構成する。
【００２２】
本実施例は以上のように構成され、ユーザがデジタル放送番組を視聴している場合に、信号比較回路５によってアナログチューナー１とデジタルチューナー２とより出力される双方の映像信号が一致するかどうかの判定を行い、双方の映像信号が一致するまで、フィードバック回路９が信号遅延回路４に対してアナログチューナー１より出力された映像信号の遅延指示を行う。
このように、デジタルチューナー２が映像信号のデジタル処理を行うことによって、デジタルチューナー２より出力される映像信号に遅延が生じた場合にも、信号遅延回路４によってデジタルチューナー２より出力された映像信号と一致するようにアナログチューナー１より出力された映像信号の遅延処理を行うので、デジタル放送からアナログ放送への切り替えを行った場合にも、映像や音声が飛んでしまったり、短時間の間に同じ映像や音声が２回提示されてしまうことがなく、ユーザが違和感を感じることがない。
【００２３】
また、アナログチューナー１が反射波を受信することによって、アナログチューナー１より出力される映像信号に遅延が生じた場合にも、信号遅延回路４によってデジタルチューナー２より出力された映像信号と一致するようにアナログチューナー１より出力された映像信号の遅延処理が行われるので、ユーザが違和感を感じることなく放送の切り替えを行うことができる。
【００２４】
さらに信号遅延回路４は、アナログチューナー１より出力された映像信号の遅延時間が所定時間以上となった場合に、アナログチューナー１とデジタルチューナー２とが受信している放送番組は異なるものとして判定することにより、映像信号の遅延処理が繰り返し行われ続けることがなくなり、処理の効率化を図ることができる。
【００２５】
また信号遅延回路４は、アナログチューナー１より出力された映像信号の遅延時間が所定時間以上となった場合に、アナログチューナー１への受信切り替えを行うことは不可能である旨の提示をユーザに対して行うことにより、ユーザはなぜ受信状態の悪いデジタル放送からアナログ放送への切り替えが行われないかを認識することができ、放送番組の切り替えが行われないことについての違和感を感じることがない。
【図面の簡単な説明】
【００２６】
【図１】実施例の全体構成を示す図である。
【図２】デジタル処理によって発生する映像信号の時間的なズレを示す図である。
【図３】反射波を受信することによって発生する映像信号の時間的なズレを示す図である。
【図４】放送番組の切り替え動作を示すフローチャートである。
【符号の説明】
【００２７】
１    アナログチューナー
２    デジタルチューナー
３    受信状態判定部
４    信号遅延回路
５    信号比較回路
６    切り替え機
７    ディスプレイ
８    スピーカ
９    フィードバック回路
【図１】
2006013845.tif 000003
【図２】
2006013845.tif 000004
【図３】
2006013845.tif 000005
【図４】
2006013845.tif 000006